(57)【要約】【課題】パネル部材に対して所望の位置に操作具を容易に取付可能とした間仕切りおよび操作具を提供することを目的とする。【解決手段】上部レールに沿って移動する上部ランナによってパネル部材が備える操作具３１において、前記パネル部材における互いに相対する２つの外側面２６ａ，２６ｂのうちの一方の外側面２６ａに配置される第１支持部材３２と、他方の外側面２６ｂにおいて、第１支持部材３２に対して対向配置される第２支持部材３３とを備え、第１支持部材３２および第２支持部材３３は、パネル部材を移動操作する操作部を備え、第１支持部材３２と前記第２支持部材３３とは、パネル部材を介して磁気吸引されることによってパネル部材に対して取り付けられる。【選択図】図４
2019035216.tif 000002
【特許請求の範囲】
【請求項１】
互いに相対する２枚のパネル要素を備えたパネル部材と、
一方のパネル要素の外側面に配置される第１支持部材と、
他方のパネル要素の外側面において、前記第１支持部材に対して対向配置される第２支持部材とを備え、
前記第１支持部材と前記第２支持部材とは、前記２枚のパネル要素を介して磁気吸引されることによって前記パネル部材に対して取り付けられる
間仕切り。
【請求項２】
前記第１支持部材および前記第２支持部材のうちの少なくとも１つの支持部材は、前記パネル部材を移動操作する操作部を備え、
前記操作部は、前記支持部材が取り付けられた前記外側面に対して突出した形状を備えている
請求項１に記載の間仕切り。
【請求項３】
前記パネル部材は、前記２枚のパネル要素で装飾部材を挟み込んで構成されている
請求項１または２に記載の間仕切り。
【請求項４】
前記第１支持部材および前記第２支持部材は、前記装飾部材が存在している領域に配置されている
請求項３に記載の間仕切り。
【請求項５】
レールに沿って移動するランナによって支持されたパネル部材が備える操作具において、
前記パネル部材における互いに相対する２つの外側面のうちの一方の外側面に配置される第１支持部材と、
他方の外側面において、前記第１支持部材に対して対向配置される第２支持部材とを備え、
前記第１支持部材および前記第２支持部材のうちの少なくとも１つの支持部材は、前記パネル部材を移動操作する操作部を備え、
前記第１支持部材と前記第２支持部材とは、前記パネル部材を介して磁気吸引されることによって前記パネル部材に対して取り付けられる
操作具。
【請求項６】
前記第１支持部材および前記第２支持部材のうちの一方の支持部材は、マグネットを備え、他方の支持部材は、前記マグネットに磁気吸引される磁性体を備える
請求項５に記載の操作具。
【発明の詳細な説明】
【技術分野】
【０００１】
本発明は、パネル部材を備える間仕切りおよびパネル部材を移動操作する操作具に関する。
【背景技術】
【０００２】
特許文献１には、間仕切りとしてのドアに関し、操作具としての金属製の取手部をドアの表面に対して回動可能に設け、取手部の収納時、ドア表面に固着されたマグネットで吸着し、使用時、取手部を表面より突出させる構成が記載されている（特許文献１参照）。
【先行技術文献】
【特許文献】
【０００３】
【特許文献１】実公昭６３−１００６７号公報
【発明の概要】
【発明が解決しようとする課題】
【０００４】
ところで、取手部の高さ方向の位置は、利用者間の身長差によって異なる。取手部の位置は、利用者にとって使いやすい位置に設けられることが好ましい。
【０００５】
本発明は、パネル部材に対して所望の位置に操作具を容易に取付可能とした間仕切りおよび操作具を提供することを目的とする。
【課題を解決するための手段】
【０００６】
上記課題を解決する間仕切りは、互いに相対する２枚のパネル要素を備えたパネル部材と、一方のパネル要素の外側面に配置される第１支持部材と、他方のパネル要素の外側面において、前記第１支持部材に対して対向配置される第２支持部材とを備え、前記第１支持部材と前記第２支持部材とは、前記２枚のパネル要素を介して磁気吸引されることによって前記パネル部材に対して取り付けられる。
【０００７】
上記間仕切りにおいて、前記第１支持部材および前記第２支持部材のうちの少なくとも１つの支持部材は、前記パネル部材を移動操作する操作部を備え、前記操作部は、前記支持部材が取り付けられた前記外側面に対して突出した形状を備えていることが好ましい。
【０００８】
上記間仕切りにおいて、前記パネル部材は、前記２枚のパネル要素で装飾部材を挟み込んで構成されていることが好ましい。
上記間仕切りにおいて、前記第１支持部材および前記第２支持部材は、前記装飾部材が存在している領域に配置されていることが好ましい。
【０００９】
上記課題を解決する操作具は、レールに沿って移動するランナによって支持されたパネル部材が備える操作具において、前記パネル部材における互いに相対する２つの外側面のうちの一方の外側面に配置される第１支持部材と、他方の外側面において、前記第１支持部材に対して対向配置される第２支持部材とを備え、前記第１支持部材および前記第２支持部材のうちの少なくとも１つの支持部材は、前記パネル部材を移動操作する操作部を備え、前記第１支持部材と前記第２支持部材とは、前記パネル部材を介して磁気吸引されることによって前記パネル部材に対して取り付けられる。
【００１０】
上記操作具において、前記第１支持部材および前記第２支持部材のうちの一方の支持部材は、マグネットを備え、他方の支持部材は、前記マグネットに磁気吸引される磁性体を備えることが好ましい。
【発明の効果】
【００１１】
本発明によれば、パネル部材に対して所望の位置に操作具を容易に取付可能とした間仕切りおよび操作具を提供することができる。
【図面の簡単な説明】
【００１２】
【図１】第１実施形態における間仕切りの正面図。
【図２】上部ランナおよび上枠部材の要部斜視図。
【図３】パネル部の分解斜視図。
【図４】パネル部および操作具の要部断面図。
【図５】（ａ）〜（ｄ）は、第１支持部材および第２支持部材における形状の変形例を示す要部斜視図。
【図６】一方の外側面の支持部材だけに操作部を設けた変形例を示す要部断面図。
【図７】パネル部材の変形例を示す正面図。
【図８】（ａ）および（ｂ）は、パネル部材の移動方向に操作具を複数設けた変形例を示す要部正面図。
【発明を実施するための形態】
【００１３】
以下、図１〜図８を参照して、本発明に係る間仕切りの実施形態について説明する。
〔第１実施形態〕
図１に示すように、間仕切り１は、引戸であって、上部レール２に沿って移動する上部ランナ３からパネル部材４が吊り下げ支持され、パネル部材４は、上部レール２に沿って移動する。
【００１４】
図２に示すように、上部レール２は、前壁６ａと、前壁６ａと対向する後壁６ｂと、前壁６ａと後壁６ｂとを繋ぐ上壁６ｃとを備えている。さらに、上部レール２の下面は、長手方向に沿って、支軸１３が挿通されるレール開口部７を備え、レール開口部７を挟んだ両側に、支持片７ａ，７ｂを備えている。上部ランナ３は、上部レール２の内部に、長手方向に沿って移動可能に配置される。支持片７ａ，７ｂは、上部ランナ３のランナ本体１１が移動するレールとなる。一例として、後壁６ｂ側の支持片７ｂは、前壁６ａ側の支持片７ａより厚く形成されている。支持片７ｂにおいて、上部レール２の内部側の支持面は、支持片７ａの内部側の支持面より上部レール２の内部側（すなわち上側）に位置し、レール開口部７に向かって下る傾斜面で構成されている。これにより、上部ランナ３の下面との接触面が減少し、パネル部材４を移動させるための操作力を低減することができる。なお、支持片７ａが支持片７ｂより厚く、上部レール２の内部側（すなわち上側）に位置し、レール開口部７に向かって下る傾斜面で構成してもよい。
【００１５】
上部ランナ３は、略円形形状を有したランナ本体１１を備えている。ランナ本体１１は、その直径が上部レール２の前壁６ａと後壁６ｂの内面との間隔より小さくなるようにし、また、上部レール２の支持片７ａ，７ｂ（特に支持片７ｂ）に下面が支持されている。このような上部ランナ３は、上部レール２が直線部だけでなく、直線部に対して９０°折曲しその先で直線部と平行となる分岐路を有しているとき、当該分岐路に進入することができる。一例として、１つのパネル部材が２つの上部ランナ３によって吊り下げ支持されているとき、一方の上部ランナ３を直線部に進入させ、他方の上部ランナ３を分岐路に進入させることができる。これにより、外側面をパネル部材の進行方向に対して直交する方向に向かせ、この状態で上部レール２に沿って移動させることができる。
【００１６】
ランナ本体１１は、ランナ本体１１から垂下された支軸１３によってパネル部材４と接続されている。ランナ本体１１には、支軸１３の上端部が固定される。支軸１３の下端部には、パネル部材４の上枠部材２２が一体的に設けられる。上枠部材２２の上部には、上部ランナ３から垂下された支軸１３を保持する軸保持部材１２が設けられている。軸保持部材１２は、ねじなどの固定部材によって上枠部材２２に固定され、支軸１３の下端部を保持する。ここでは、１枚のパネル部材４は、２つの上部ランナ３によって吊り下げ支持されている。
【００１７】
パネル部材４は、パネル部２１と、パネル部２１を上部ランナ３に対して支持する上枠部材２２と、パネル部２１の上下方向に延びる側縁部２１ｃに取り付けられる縦枠部材２８と、パネル部２１の下縁部２１ｂに取り付けられる下枠部材２９とを備えている（図１参照）。
【００１８】
図３に示すように、パネル部２１は、パネル要素の間に生地要素を介在させた複層パネルである。パネル部２１は、第１表面形成部材としての第１パネル要素２３および第２表面形成部材としての第２パネル要素２４と、第１パネル要素２３と第２パネル要素２４との間に配置される面状部材としての装飾部材２５とを備えている。ここで、第１パネル要素２３および第２パネル要素２４は、全体が矩形形状を有する板体である。第１パネル要素２３および第２パネル要素２４は、長手方向を上下方向として、第１パネル要素２３および第２パネル要素２４が装飾部材２５を挟み込んだ状態で、上縁部２１ａ（図２参照）が上枠部材２２に取り付けられる。
【００１９】
第１パネル要素２３および第２パネル要素２４は、ガラスやポリカーボネート樹脂やアクリル樹脂などの合成樹脂により形成され、透光性を有している。第１パネル要素２３および第２パネル要素２４は、全体が透光性を有していてもよいし、また、一部が透光性を有し、残りが遮光性となるように構成してもよい。また、第１パネル要素２３および第２パネル要素２４には、種々の装飾を施すことができる。第１パネル要素２３および第２パネル要素２４の何れかのパネル要素が複層パネルであってもよい。
【００２０】
装飾部材２５は、第１パネル要素２３および第２パネル要素２４とほぼ同じ大きさと形状を有している。装飾部材２５は、織物、編物、不織布などである。また、装飾部材２５は、樹脂が含浸加工された織物、編物、不織布などである。樹脂が含浸加工された装飾部材２５は、本来柔らかい生地に対して樹脂が含浸加工されることによって、繊維が解れにくくなり、また、皺になりにくくなる。また、生地の伸縮を抑制することができ、これにより、平面性または平坦性に優れ、形状安定性に優れた生地とすることができる。また、樹脂が含浸加工された装飾部材２５は、防炎剤を織り込むことで、防炎性能を付加することも可能である。装飾部材２５は、無地であってもよいし、柄が付いていてもよい。また、装飾部材２５としては、一例として、レース生地や刺しゅう付きの生地などであってもよい。
【００２１】
装飾部材２５は、固定手段によって第１パネル要素２３または第２パネル要素２４に対して位置合わせされて仮止めされる。固定手段は、一例として、接着層を両面に備えた両面テープ、接着剤、装飾部材２５の上から装飾部材２５を第１パネル要素２３または第２パネル要素２４に対して打ち込むビスやピンといった固定部材などである。装飾部材２５が固定手段により第１パネル要素２３または第２パネル要素２４に仮止めされる位置は、例えば矩形形状の第１パネル要素２３および第２パネル要素２４ならびに装飾部材２５の各角部である。また、矩形形状の第１パネル要素２３および第２パネル要素２４ならびに装飾部材２５の上縁部、下縁部、および側縁部、すなわち外周縁部である。このような位置は、上枠部材２２、下枠部材２９、および、一対の縦枠部材２８に隠れる位置である。装飾部材２５は、第１パネル要素２３および第２パネル要素２４の何れかのパネル要素に仮止めされた後に他方のパネル要素が装飾部材２５の上に重ねられる。そして、装飾部材２５は、パネル部２１の外周縁部に対して上枠部材２２、縦枠部材２８および下枠部材２９が取り付けられることで第１パネル要素２３と第２パネル要素２４との間に固定される。以上のようなパネル部２１は、一方の表面が第１外側面２６ａであり、他方の表面が第２外側面２６ｂである。
【００２２】
図４に示すように、パネル部材４は、さらにパネル部材４を移動させるための操作具３１を備えている。操作具３１は、パネル部２１の第１外側面２６ａに配置される第１支持部材３２と、パネル部２１の第２外側面２６ｂに配置される第２支持部材３３とを備えている。
【００２３】
第１支持部材３２は、第１外側面２６ａに対して突出する立方体に近い矩形形状を有している。第１支持部材３２は、第１マグネット３２ａと、第１マグネット３２ａを覆う操作部としての第１カバー３２ｂとを備えている。第１マグネット３２ａは、ネオジウムなどの磁石である。第１カバー３２ｂは、横断面形状がＵ字形状を有しており、内側の凹部に第１マグネット３２ａが配置される。一例として、第１マグネット３２ａは、第１カバー３２ｂの凹部に対して、接着剤、両面テープ、ねじ、ビスなどによって支持される。そして、第１支持部材３２は、第１マグネット３２ａが露出した面が第１外側面２６ａと対向する支持面となる。なお、支持面にも、磁性体で構成され、かつ、第１カバー３２ｂと一連の又は別部材の覆板が配置されていてもよい。第１カバー３２ｂは、パネル部材４を第１外側面２６ａ側から移動操作する際、利用者が手で摘みまたは指を引っかける操作部となる。このため、第１カバー３２ｂは、第１外側面２６ａから頂部までの高さが操作時利用者の手や指が第１外側面２６ａに触れない程度に設定されている。一例として、第１カバー３２ｂは、当該第１カバー３２ｂに近接して位置する縦枠部材２８の第１外側面２６ａから頂面までの高さより高く設定されている。なお、第１カバー３２ｂは、上枠部材２２や下枠部材２９の第１外側面２６ａから頂面までの高さより高く設定されていてもよい。
【００２４】
第２支持部材３３は、第２外側面２６ｂに対して突出する矩形形状を有している。第２支持部材３３は、第１支持部材３２と同様な構成を有しており、第２マグネット３３ａと、第２マグネット３３ａを覆う操作部としての第２カバー３３ｂとを備え、第２カバー３３ｂの内側の凹部に第２マグネット３３ａが配置されている。第２支持部材３３は、第２マグネット３３ａが露出した面が第２外側面２６ｂと対向する支持面となる。なお、この支持面にも、磁性体で構成され、かつ、第２カバー３３ｂと一連の又は別部材の覆板が配置されていてもよい。第２カバー３３ｂは、パネル部材４を第２外側面２６ｂ側から移動操作する際、利用者が手で摘みまたは指を引っかける操作部となる。このため、第２カバー３３ｂにおいても、第２外側面２６ｂから頂部までの高さが操作時利用者の手や指が第２外側面２６ｂに触れない程度に設定されている。一例として、第２カバー３３ｂの第２外側面２６ｂから頂面までの高さは、第１カバー３２ｂの第１外側面２６ａから頂面までの高さと同じである。
【００２５】
第１支持部材３２および第２支持部材３３は、一方の縦枠部材２８に近接する位置であって、上下方向の中程において配置される（図１参照）。また、第１支持部材３２および第２支持部材３３が配置される位置は、装飾部材２５が第１パネル要素２３および第２パネル要素２４の間に存在している位置である。具体的には、当該位置において、第１支持部材３２は、第１外側面２６ａに配置され、第２支持部材３３は、第２外側面２６ｂに配置され、かつ、第１支持部材３２と対向する位置に配置される。これにより、第１支持部材３２と第２支持部材３３とは、パネル部２１を介在させて磁気吸引され、パネル部２１の取付位置に取り付けられる。一例として、第１マグネット３２ａの第１外側面２６ａと対向する面がＮ極であるとき、第２マグネット３３ａの第２外側面２６ｂと対向する面がＳ極である。
【００２６】
第２支持部材３３で使用する第２マグネット３３ａは、磁力発生部材としての第１マグネット３２ａに対して磁気吸引される磁性体であれば、第１マグネット３２ａに対して磁気吸引される軟磁性体などの金属部材などによって構成することもできる。
【００２７】
図２に示すように、パネル部２１の上縁部２１ａには、パネル部２１を上枠部材２２に取り付けるための取付部材３４を備えている。パネル部２１は、取付部材３４を介して上枠部材２２に対してねじなどの固定部材により固定される。上枠部材２２は、パネル部２１の上縁部２１ａの全幅に亘って、一対の支持片４３を備えている。一対の支持片４３は、互いに平行な２つの連結片４２で連結されている。また、一対の支持片４３の下端部の間には、上縁部２１ａが挿入される案内溝４１を備えている。一対の支持片４３の下端部では、内部に取付部材３４が配置され、上縁部２１ａが案内溝４１を通じて下方に延出される。
【００２８】
パネル部２１の上下方向に延びる側縁部２１ｃに取り付けられる縦枠部材２８も、上枠部材２２と下枠部材の端部に結合される。パネル部２１の側縁部２１ｃは、縦枠部材２８の案内溝に挿入される。この際、パネル部２１の側縁部２１ｃは、案内溝にグレチャンを介して係合される（図１参照）。
【００２９】
パネル部２１の下縁部に取り付けられる下枠部材２９は、上枠部材２２とほぼ同様な構成を有しており、パネル部２１の下縁部２１ｂは、下枠部材２９の案内溝に挿入される。この際、パネル部２１の下縁部２１ｂは、案内溝にグレチャンを介して係合される（図１参照）。
【００３０】
上記第１実施の形態によれば、以下のように列挙する作用効果を得ることができる。
（１−１）操作具３１は、第１外側面２６ａの第１支持部材３２と第２外側面２６ｂの第２支持部材３３とを対向する位置に配置することで、利用者の所望の位置、例えば利用者の所望の高さに第１支持部材３２と第２支持部材３３とを磁気吸引させるだけで設けることができる。一例として、操作具３１は、縦枠部材に近接する位置に設けるのが使いやすい。上下方向における位置は、利用者の身長などによって異なる。操作具３１は、上下方向の位置を、利用者の使いやすい位置に取り付けることができ、さらに、利用者の使いやすい位置に取付位置を変更することができる。したがって、間仕切り１としても開閉操作をし易いものとなる。また、操作具３１の取付は、工具不要で行うことができる。
【００３１】
（１−２）第１支持部材３２および第２支持部材３３は、パネル部材４を移動操作するときに、第１外側面２６ａおよび第２外側面２６ｂから利用者の手や指が第１外側面２６ａに触れない程度の高さを備えているので、パネル部２１の表面が指紋などによって汚損することを防ぐことができる。
【００３２】
（１−３）第１支持部材３２および第２支持部材３３は、装飾部材２５が第１パネル要素２３および第２パネル要素２４の間に存在している位置に配置される。したがって、第１支持部材３２および第２支持部材３３は、磁気吸引力によって、第１パネル要素２３および第２パネル要素２４を近接する方向に押さえることができる。これにより、装飾部材２５は、第１支持部材３２および第２支持部材３３の間で配置位置がずれにくくなる。
【００３３】
例えば、第１パネル要素２３および第２パネル要素２４は、周縁部が上枠部材２２、一対の縦枠部材２８および下枠部材２９によって固定されているといっても、パネル部材４のサイズが大きくなるに連れて、若干上下方向の中央領域が自重で外方に膨らむように撓んで第１パネル要素２３および第２パネル要素２４の間に隙間が生まれてしまう傾向がある。第１パネル要素２３および第２パネル要素２４が撓んでしまったときには、当該領域において、装飾部材２５に対する第１パネル要素２３および第２パネル要素２４による支持が弱くなってしまうおそれがある。このような場合にあっても、第１支持部材３２および第２支持部材３３は、磁気吸引力によって、第１パネル要素２３および第２パネル要素２４を近接する方向に押さえるので、第１パネル要素２３および第２パネル要素２４の撓みを抑制することができる。その結果、装飾部材２５も、第１パネル要素２３および第２パネル要素２４の間において支持が弱くなってしまうことを防ぐことができる。
【００３４】
（１−４）第２支持部材３３には、マグネットではなく、金属部材などの磁性体を使用することもできる。
（１−５）パネル部材４は、第１パネル要素２３または第２パネル要素２４に装飾部材２５を挟み込んでいるので、装飾部材２５の汚損を抑制できる。
（１−６）操作具３１を使用しないときに、操作具３１を取り外すことで、パネル部材４の意匠性を向上させることができる。
【００３５】
なお、上記第１実施形態は、以下のように適宜変更して実施することもできる。
・図５（ａ）に示すように、操作具３１は、第１支持部材３２および第２支持部材３３が縦長の矩形形状をしていてもよい。縦長の第１支持部材３２および第２支持部材３３によれば、正方形に近い矩形形状の第１支持部材３２および第２支持部材３３より大きさが大きいのでより操作性を向上させることができる。
なお、図５（ａ）の例において、第１支持部材３２および第２支持部材３３は、円弧形状をした部材であってもよく、このような場合、膨らんだ部分を、近接する縦枠部材２８の方向に向かせてよいし、離れた側の縦枠部材２８の方向に向かせてもよい。
【００３６】
・図５（ｂ）に示すように、操作具３１は、第１支持部材３２および第２支持部材３３が円柱形状をしていてもよい。図５（ｂ）の例では、円柱形状を有することで、操作時における手触りを良くすることができる。
【００３７】
・図５（ｃ）に示すように、操作具３１は、第１支持部材３２および第２支持部材３３が横長の矩形形状をしていてもよい。
なお、図５（ｃ）の例において、第１支持部材３２および第２支持部材３３は、円弧形状をした部材であってもよく、このような場合、膨らんだ部分を、上枠部材２２の方向に向かせてよいし、下枠部材２９の方向に向かせてもよい。
・図５（ｄ）に示すように、第１支持部材３２および第２支持部材３３において、操作部材３２ｘ，３３ｘと脚部３２ｙ，３３ｙを備え、脚部３２ｙ，３３ｙにマグネット３２ａ，３３ａを配置する構成としてもよい。
【００３８】
・図６に示すように、第１支持部材３２を、利用者の手や指が第１外側面２６ａに触れない程度の高さとなるようにし操作部として機能させ、第２支持部材３３は、一例として偏平とし、操作部と機能しない構成としてもよい。この場合、第２支持部材３３は、第２カバー３３ｂを省略して、第２マグネット３３ａ、金属部材などの磁性体だけの構成としてもよい。
【００３９】
・図７に示すように、第１パネル要素２３と第２パネル要素２４の間に装飾部材２５を挟まない部分を有する構成としてもよい。この場合、装飾部材２５の大きさは、第１パネル要素２３と第２パネル要素２４より小さいものとなる。そして、装飾部材２５が存在しない領域に操作具３１を配置するようにしてもよい。図７の例では、パネル部２１の上下方向における、ほぼ上側１／３の領域と下側１／３の領域に装飾部材２５が配置され、間の領域には、装飾部材２５が配置されていない。このような場合、パネル部２１の側縁部２１ｃは、装飾部材２５がある位置とない位置とで厚さが異なる。縦枠部材２８の案内溝に側縁部２１ｃを取り付けるにあたっては、一例として、グレチャンを介在させることで、グレチャンの弾性によって、側縁部２１ｃの厚さの差を吸収することができる。操作具３１は、装飾部材２５の存在しない位置に配置される。なお、第１パネル要素２３と第２パネル要素２４との間に装飾部材２５が存在しない領域に操作具３１を配置する場合において、装飾部材２５の数は、いくつでもよい。また、第１パネル要素２３と第２パネル要素２４との間に装飾部材２５が存在しない領域は、パネル部２１の全体の中でどの位置に存在していてもよい。
【００４０】
・第１パネル要素２３と第２パネル要素２４との間に装飾部材２５が存在しない領域を有する構成であっても、操作具３１は、装飾部材２５の存在する位置に配置してもよい。このような場合、第１支持部材３２と第２支持部材３３に挟まれた装飾部材２５は、配置位置がずれにくくなる。
【００４１】
・図８（ａ）に示すように、操作具３１は、各縦枠部材２８の沿う位置に配置するようにし、合計で２つ設けるようにしてもよい。また、図８（ｂ）に示すように、各縦枠部材２８の中間位置も操作具３１を設けるようにし、合計で３つ設けるようにしてもよい。このような構成によれば、パネル部材４の移動操作が一層容易なものとなる。
【００４２】
・第１支持部材３２が長尺な部材である場合、第１マグネット３２ａは、複数に分割されていてもよい。また、第２支持部材３３が長尺な部材である場合にも、第２マグネット３３ａや金属部材は、複数に分割されていてもよい。
【００４３】
・パネル部２１は、１枚の装飾部材２５を挟まない１枚のパネル要素で構成されていてもよいし、第１パネル要素と第２パネル要素との間に装飾部材２５を挟まない単なる複層パネルであってもよい。このようなパネル部２１において、１枚のパネル部２１の少なくとも一方の面に装飾部材２５は固定されたものであってもよい。
【００４４】
・操作部となる第１カバー３２ｂや第２カバー３３ｂは、第１外側面２６ａや第２外側面２６ｂから頂部までの高さが縦枠部材２８、上枠部材２２および下枠部材２９より低くてもよい。このような場合、操作時利用者の手や指が第１外側面２６ａや第２外側面２６ｂに触れやすくなる。しかし、第１外側面２６ａや第２外側面２６ｂに、指紋や塵埃などが付着しにくく傷がつきにくいハードコーティングを施すことによって、第１外側面２６ａや第２外側面２６ｂを汚損しにくくすることができる。
【００４５】
・第１外側面２６ａは、パネル部２１の表面および裏面の何れの面であってもよい。
・第１支持部材３２に金属部材が配置され、第２支持部材３３にマグネットが配置されていてもよい。
・パネル部材４は、縦枠部材２８および下枠部材２９の何れか１つの枠部材、または、両方の枠部材を省略するようにしてもよい。枠部材を省略する場合であっても、側縁部２１ｃや下縁部２１ｂには、隣接するパネル部材４や床面などとの衝突を和らげるためカバーを配置するようにしてもよい。
【００４６】
・パネル部が上部ランナによって吊り下げ支持されるのではなく、下部レールに沿って移動する下部ランナに支持される間仕切りにも適用可能である。
・上部レール２に移動可能に吊り下げ支持されるパネル部材４の枚数は特に限定されるものではない。
・レールに沿って移動しない間仕切りにも適用することができる。一例として、パーティションのような移動しない間仕切りや、出入り口のドア枠の開口部に蝶番などによって回動可能に取り付けられる扉などにも適用することができる。
・上部ランナ３の構成は、ランナ本体に４個の車輪が回転可能に支持され、車輪が上部レール２内をほぼ上下動不能な状態で支持片７ａ上を転動するものであってもよい。
・間仕切りとしては、引戸の他、折引戸であってもよい。
【符号の説明】
【００４７】
１…間仕切り、２…上部レール、３…上部ランナ、４…パネル部材、６ａ…前壁、６ｂ…後壁、６ｃ…上壁、７…レール開口部、７ａ…支持片、７ｂ…支持片、１１…ランナ本体、１２…軸保持部材、１３…支軸、２１…パネル部、２１ａ…上縁部、２１ｂ…下縁部、２１ｃ…側縁部、２２…上枠部材、２３…第１パネル要素、２４…第２パネル要素、２５…装飾部材、２６ａ…第１外側面、２６ｂ…第２外側面、２８…縦枠部材、２９…下枠部材、３１…操作具、３２…第１支持部材、３２ａ…第１マグネット、３２ｂ…第１カバー、３２ｘ…操作部材、３２ｙ…脚部、３３…第２支持部材、３３ａ…第２マグネット、３３ｂ…第２カバー、３３ｘ…操作部材、３３ｙ…脚部、３４…取付部材、４１…案内溝、４２…連結片、４３…支持片。
【図１】
2019035216.tif 000003
【図２】
2019035216.tif 000004
【図３】
2019035216.tif 000005
【図４】
2019035216.tif 000006
【図５】
2019035216.tif 000007
【図６】
2019035216.tif 000008
【図７】
2019035216.tif 000009
【図８】
2019035216.tif 000010